(57)【要約】【課題】  高濃度プリント部におけるシアン方向の色再現範囲を縮小させることなく、シアン色を含む低濃度プリント部の粒状感を低減させ、さらにグリーン方向の色再現範囲を拡大し、グリーンの鮮明性を向上させることを可能とするインクジェット記録用水性インクセットを提供する。【解決手段】  シアンインクとグリーンインクとを備えたインクジェット記録用水性インクセットであって、シアンインクが、Ｌ*ａ*ｂ*表色系による明度指数（Ｌ*）がＬ*≧６０のライトシアンインクからなる。【選択図】  なし【特許請求の範囲】
【請求項１】
シアンインクとグリーンインクとを備えたインクジェット記録用水性インクセットであって、シアンインクが、Ｌ*ａ*ｂ*表色系による明度指数（Ｌ*）がＬ*≧６０のライトシアンインクであることを特徴とするインクジェット記録用水性インクセット。
【請求項２】
シアンインクとして、明度指数（Ｌ*）がＬ*＜６０のノーマルシアンインクをもたない請求項１記載のインクジェット記録用水性インクセット。
【請求項３】
ライトシアンインクの明度指数（Ｌ*）が６０≦Ｌ*≦８５である請求項１又は２に記載のインクジェット記録用水性インクセット。
【請求項４】
ライトシアンインクのＬ*ａ*ｂ*表色系による色相角（ｈ）が２１５°≦ｈ≦２５５°である請求項１〜３のいずれかに記載のインクジェット記録用水性インクセット。
【請求項５】
ライトシアンインクのＬ*ａ*ｂ*表色系による彩度（Ｃ*）が４０≦Ｃ*≦７０である請求項１〜４のいずれかに記載のインクジェット記録用水性インクセット。
【請求項６】
グリーンインクのＬ*ａ*ｂ*表色系による明度指数（Ｌ*）がＬ*≦６０である請求項１〜５のいずれかに記載のインクジェット記録用水性インクセット。
【請求項７】
グリーンインクのＬ*ａ*ｂ*表色系による明度指数（Ｌ*）が３５≦Ｌ*≦６０である請求項１〜６のいずれかに記載のインクジェット記録用水性インクセット。
【請求項８】
グリーンインクのＬ*ａ*ｂ*表色系による色相角（ｈ）が１７５°≦ｈ≦２１５°である請求項１〜７のいずれかに記載のインクジェット記録用水性インクセット。
【請求項９】
グリーンインクのＬ*ａ*ｂ*表色系による彩度（Ｃ*）が６０≦Ｃ*≦８０である請求項１〜８のいずれかに記載のインクジェット記録用水性インクセット。
【請求項１０】
さらに、イエローインク及び／又はマゼンタインクを備えた請求項１〜９のいずれかに記載のインクジェット記録用水性インクセット。
【請求項１１】
請求項１〜１０のいずれかに記載のインクジェット記録用水性インクセットを使用することを特徴とするインクジェット記録方法。
【発明の詳細な説明】
【技術分野】
【０００１】
本発明は、低濃度プリント部における粒状感の低減と、色再現範囲の拡大に好適なインクジェット記録用水性インクセット、及びこのインクジェット記録用水性インクセットを使用したインクジェット記録方法に関する。
【背景技術】
【０００２】
インクジェット記録方式でカラー画像を表現する場合、一般に、イエローインク（Ｙ）、マゼンタインク（Ｍ）及びシアンインク（Ｃ）の３色のインクから構成されるインクセット、あるいは、さらにブラックインク（Ｋ）を加えた４色のインクから構成されるインクセットが用いられている。
【０００３】
また、インクジェット記録方式において、一般に、画像の階調はインクの吐出によって被記録材上に形成されるドットの密度によって制御される。しかしながら、このような方法で階調を制御すると、低濃度プリント部においてはドット密度が減少するため、相対的に個々のドットが視認され易くなり、その結果として、画像が粒状感を呈するという問題が生じる。
【０００４】
これに対しては、シアンインクに関し、染料濃度の異なる２以上のインクを使用し、かつこれらの染料の種類を異ならせ、濃色インクには、耐光性には劣るが鮮明性に優れる染料を選択し、淡色インクには、鮮明性には劣るが耐光性に優れる染料を選択することが提案されており（特許文献１）、また、マゼンタインクについても同様の提案がなされている（特許文献２）。しかしながら、これらの方法に従うと、粒状感の改善は見られるものの、色再現範囲を拡大することができないという問題がある。
【０００５】
また、一般に、イエローインク、マゼンタインク及びシアンインクの３色のインクから構成されるインクセット、あるいは、さらにブラックインクを加えた４色のインクから構成されるインクセットでは、グリーン色は、シアンインクとイエローインクを用いて表現されるが、このように２種のインクを用いてグリーン色を表現すると、重ね打ちの着弾誤差によってシャープな印字品質や鮮やかな発色性が得にくいという問題点がある。
【０００６】
【特許文献１】特開平１−９５０９３号公報
【特許文献２】特開平２−１２７４８２号公報
【発明の開示】
【発明が解決しようとする課題】
【０００７】
本発明は、前述した問題点を解決するためになされたものであり、インクジェット記録方法において、(i)高濃度プリント部におけるグリーン方向及びシアン方向の色再現範囲を縮小させず、かつインクセットを構成するインク数を最小限に抑えつつ、シアン色を含む低濃度プリント部における粒状感を低減させること、(ii)グリーン方向について色再現範囲を拡大し、鮮明性を向上させることを目的とする。
【課題を解決するための手段】
【０００８】
本発明者らは、インクジェット記録用水性インクセットを構成するインクの、Ｌ*ａ*ｂ*表色系による明度指数（Ｌ*）、色相角（ｈ）及び彩度（Ｃ*）が、カラー画像の低濃度プリント部における粒状感の低減と色再現範囲の拡大に密接な関係があるという仮説の下に鋭意研究を行った結果、シアンインクを備えたインクジェット記録用水性インクセットにおいて、シアンインクとして、従前のインクセットで用いられているノーマルシアンインクに代えて、明度指数（Ｌ*）が特定値以上のライトシアンインクを使用し、かつグリーンインクを使用することにより、上述の目的(i)、(ii)を達成できることを見出し、本発明を完成させた。
【０００９】
すなわち、本発明は、シアンインクとグリーンインクとを備えたインクジェット記録用水性インクセットであって、シアンインクが、Ｌ*ａ*ｂ*表色系による明度指数（Ｌ*）がＬ*≧６０のライトシアンであることを特徴とするインクジェット記録用水性インクセットを提供する。
【００１０】
また、本発明は、上述のインクジェット記録用水性インクセットを使用したインクジェット記録方法を提供する。
【発明の効果】
【００１１】
本発明のインクジェット記録用水性インクセットは、シアンインクとして着色剤濃度が低いライトシアンインクを備えているので、このインクセットを用いてインクジェット記録を行うことにより、シアン色を含む低濃度プリント部の粒状感を低減させることができる。また、本発明のインクセットは、ライトシアンインクと共にグリーンインクを備えているので、高濃度プリント部におけるシアン方向の色再現範囲が縮小せず、グリーン方向については色再現範囲が顕著に拡大し、グリーン色の鮮明性が向上する。なお、グリーン色の鮮明性の向上は、シアンインクとイエローインクの混色によらず、グリーンインク単独でグリーン色を表現できることによる。
【００１２】
さらに、本発明のインクセットによれば、このシアン色を含む低濃度プリント部の粒状感の低減、シアン色の高濃度プリント部における色再現範囲の縮小防止、グリーン方向における色再現範囲の顕著な拡大、グリーン色の鮮明性の向上という効果を、ライトシアンインクとグリーンインクという２種のインクで達成することができる。
【００１３】
したがって、本発明のインクセットによれば、インクジェット記録方法で形成するカラー画像の色再現性や印字品質を向上させることができる。
【００１４】
さらに、グリーン色は、一般に、テキスト印字にも使用される色であり、本発明によれば、このグリーン色のテキスト印字を２種のインクの重ね打ちによらず、単一のグリーンインクで印字できるので、フェザリングを抑制したシャープな印字品質や、鮮やかな発色性を実現することが可能となる。
【発明を実施するための最良の形態】
【００１５】
以下、本発明を詳細に説明する。
【００１６】
本発明において、明度指数（Ｌ*）、色相角（ｈ）、彩度（Ｃ*）は、１９７６年に国際照明委員会（ＣＩＥ）で規格化されたＬ*ａ*ｂ*表色系に基づくものである。なお、日本工業規格（ＪＩＳ）ではＪＩＳ Ｚ ８７２９に規定されている。
【００１７】
また、本発明において明度指数（Ｌ*）は、光沢紙に各インクを１２００×１２００ｄｐｉベタプリントしたものに対して、分光測色計等を用いて測定される値であり、色相角（ｈ）と彩度（Ｃ*）は、同様のベタプリントに対して、まず知覚色度指数（ａ*、ｂ*）を分光測色計等を用いて測定し、測定されたａ*、ｂ*を用いて次式（１）、（２）により算出される値である。
【００１８】
【数１】
2006176607.tif 000002
【００１９】
【数２】
2006176607.tif 000003
【００２０】
なお、Ｌ*、ａ*及びｂ*の測定で用いる「光沢紙」とは、ベースペーパー（原紙ペーパー）に表面平滑性が得られるコート層を設けた紙のことをいい、具体的には、画彩（登録商標）光沢仕上げ（富士写真フィルム（株）製）、インクジェットプリンタ用紙（光沢紙）（コクヨ（株）製）、厚手光沢紙（コダック（株）製）等が挙げられる。また、「解像度１２００×１２００ｄｐｉベタプリント」とは、解像度１２００×１２００ｄｐｉの領域が１００％被覆されるようにプリントすることである。プリントに使用できるインクジェットプリンタとしては、ブラザー工業（株）製インクジェットプリンタ搭載デジタル複合機ＭＦＣ−５２００Ｊ等をあげることができ、分光測色計としてはＧｒｅｔａｇ Ｍａｃｂｅｔｈ社製Ｓｐｅｃｔｒｏｌｉｎｏ等を使用することができる。測色条件は、光源：Ｄ65、視野角：２°とした。
【００２１】
本発明のインクジェット記録用水性インクセットは、少なくとも、シアンインクとグリーンインクとを備え、そのシアンインクが、Ｌ*≧６０のライトシアンインクであることを特徴としている。したがって、Ｌ*＜６０のノーマルシアンインクは、本発明のインクセットを構成しない。シアンインクとしてＬ*＜６０のノーマルシアンインクを用いると、シアン色を含む低濃度プリント部において、粒状感が目立つため好ましくない。
【００２２】
本発明のインクセットを構成するライトシアンインクのＬ*は、好ましくは６０≦Ｌ*≦８５である。ライトシアンインクのＬ*が８５を超えると、本来のシアン色を再現することが困難となるので好ましくない。
【００２３】
また、ライトシアンインクのｈは、２１５°≦ｈ≦２５５°となるように調整することが好ましい。ｈがこの範囲内でないと、充分にシアン色を表現することが困難となる。
【００２４】
さらに、ライトシアンインクのＣ*は、４０≦Ｃ*≦７０となるように調整することが好ましい。Ｃ*をこの範囲内とすることにより、鮮やかなシアン色を再現することが可能となる。
【００２５】
一方、本発明のインクセットを構成するグリーンインクとしては、Ｌ*≦６０のものが好ましい。グリーンインクのＬ*が６０を超えると、本来のグリーン色を再現することが困難となるので好ましくない。グリーンインクのＬ*について、より好ましい範囲は３５≦Ｌ*≦６０である。グリーンインクのＬ*をこの範囲内とすることにより充分な濃度のグリーン色とシアン色を再現することができる。
【００２６】
グリーンインクのｈは、１７５°≦ｈ≦２１５°となるように調整することが好ましい。ｈをこの範囲内に調整することにより、充分にグリーン色を表現することが可能となる。
【００２７】
さらに、グリーンインクのＣ*は、６０≦Ｃ*≦８０となるように調整することが好ましい。Ｃ*をこの範囲内に調整することにより、鮮やかなグリーン色を再現することが可能となる。
【００２８】
本発明のインクセットには、上述のライトシアンインク及びグリーンインクに加えて任意のインクを備えることができ、例えば、ブルーインクを備えることができる。これによりブルー方向についても色再現範囲を顕著に拡大し、ブルー色の鮮明性を向上させることが可能となるので好ましい。ブルーインクとしては、Ｌ*≦４５のものが好ましい。ブルーインクが、Ｌ*＞４５であると、本来のブルー色を再現することが困難となる。ブルーインクのＬ*について、より好ましい範囲は３５≦Ｌ*≦４５である。ブルーインクのＬ*をこの範囲内とすることにより充分な濃度のブルー色を再現することができる。
【００２９】
ブルーインクのｈは、２７０°≦ｈ≦２８５°となるように調整することが好ましい。ｈをこの範囲内に調整することにより、充分にブルー色を表現することが可能となる。
【００３０】
さらに、ブルーインクのＣ*は、７０≦Ｃ*≦８０となるように調整することが好ましい。Ｃ*をこの範囲内に調整することにより、鮮やかなブルー色を再現することが可能となる。
【００３１】
この他、本発明のインクセットは、イエローインク及び／又はマゼンタインクを備えることができる。必要に応じてブラックインクを備えてもよい。ライトシアンインク及びグリーンインクに加えて、イエローインク、マゼンタインク、さらに必要に応じてブラックインクを備えることにより、フルカラー画像を再現することができる。
【００３２】
本発明のインクセットにマゼンタインクを備える場合、そのマゼンタインクとしては、公知のインクセットに用いられているノーマルマゼンタインクを使用することができるが、ノーマルマゼンタインクに代えて、Ｌ*≧５０のライトマゼンタインクを使用し、さらにレッドインクを使用することが好ましい。この場合、Ｌ*＜５０のノーマルマゼンタインクは不要である。マゼンタインクとしてＬ*≧５０のライトマゼンタインクを使用することにより、マゼンタ色を含む低濃度プリント部において、粒状感を低減させることができる。ライトマゼンタインクの好ましいＬ*は５０≦Ｌ*≦６５である。ライトマゼンタインクのＬ*が６５を超えると、本来のマゼンタ色を再現することが困難となるので好ましくない。
【００３３】
また、ライトマゼンタインクのｈは、３３５°≦ｈ≦３６０°又は０°≦ｈ≦５°となるように調整することが好ましい。ｈがこの範囲内でないと、充分にマゼンタ色を表現することが困難となる。
【００３４】
さらに、ライトマゼンタインクのＣ*は、８０≦Ｃ*≦９０となるように調整することが好ましい。Ｃ*をこの範囲内とすることにより、鮮やかなマゼンタ色を再現することが可能となる。
【００３５】
ライトマゼンタインクと共に使用するレッドインクとしては、Ｌ*≦５０のものが好ましい。レッドインクが、Ｌ*＞５０であると、レッド方向の色再現範囲を充分に得ることが困難となる。レッドインクのＬ*について、より好ましい範囲は２５≦Ｌ*≦５０である。レッドインクのＬ*をこの範囲内とすることにより充分な濃度のレッド色とマゼンタ色を再現することができる。
【００３６】
レッドインクのｈは、２０°≦ｈ≦３５°となるように調整することが好ましい。ｈをこの範囲内に調整することにより、充分にレッド色を表現することが可能となる。
【００３７】
さらに、レッドインクのＣ*は、８０≦Ｃ*≦９０となるように調整することが好ましい。Ｃ*をこの範囲に調整内とすることにより、鮮やかなレッド色を再現することが可能となる。
【００３８】
本発明のインクセットにイエローインクやブラックインクを備える場合、これらのインクとしては公知のインクセットに用いられているものを使用することができる。例えば、イエローインクとしては、ｈが７０〜１４０°のノーマルイエローインクを使用することができる。
【００３９】
本発明のインクセットを構成する個々のインクは、それぞれ上述の所定のＬ*、ｈ、Ｃ*を有するように着色剤、水、及び水溶性有機溶剤を含有する。
【００４０】
各インクに含まれる着色剤としては、水溶性染料及び／又は顔料をあげることができ、これらを適宜組み合わせて用いることにより所期のインク色に調整する。
【００４１】
即ち、水溶性染料としては、直接染料、酸性染料、塩基性染料、反応性染料等に代表される水溶性染料が用いられる。また、水溶性染料の構造としては、アゾ染料、金属錯塩染料、ナフトール染料、アントラキノン染料、インジゴ染料、カーボニウム染料、キノンイミン染料、キサンテン染料、アニリン染料、キノリン染料、ニトロ染料、ニトロソ染料、ベンゾキノン染料、ナフトキノン染料、フタロシアニン染料、金属フタロシアニン染料等が好ましい。特に、インクジェット記録方式のインクとして好適で、鮮明性、水溶性、安定性、耐光性その他の要求される性能を満たす水溶性染料としては、Ｃ．Ｉ．ダイレクトイエロー１２，２４，２６，２７，２８，３３，３９，５８，８６，９８，１００，１３２及び１４２、Ｃ．Ｉ．ダイレクトレッド４，１７，２８，３７，６３，７５，７９，８０，８１，８３及び２５４、Ｃ．Ｉ．ダイレクトバイオレット４７，４８，５１，９０及び９４、Ｃ．Ｉ．ダイレクトブルー１，６，８，１５，２２，２５，７１，７６，８０，８６，８７，９０，１０６，１０８，１２３，１６３，１６５，１９９及び２２６、Ｃ．Ｉ．ダイレクトグリーン１，２６，２８，５９，８０及び８５等の直接染料；Ｃ．Ｉ．アシッドイエロー３，１１，１７，１９，２３，２５，２９，３８，４２，４９，５９，６１，７１及び７２、Ｃ．Ｉ．アシッドレッド１，６，８，１８，３２，３５，３７，４２，５２，８５，８８，１１５，１３３，１３４，１５４，１８６，２４９、２８９及び４０７、Ｃ．Ｉ．アシッドバイオレット１０，３４，４９及び７５、Ｃ．Ｉ．アシッドブルー９，２２，２９，４０，５９，６２，９３，１０２，１０４，１１２，１１３，１１７，１２０，１６７，１７５，１８３，２２９及び２３４、Ｃ．Ｉ．アシッドグリーン３，５，９，１２，１５，１６，１９，２５，２７，２８，３６，４０，４１，４３，４４，５６，７３，８１，８４，１０４，１０８及び１０９等の酸性染料；Ｃ．Ｉ．ベーシックイエロー４０、Ｃ．Ｉ．ベーシックレッド９，１２及び１３、Ｃ．Ｉ．ベーシックバイオレット７，１４及び２７、Ｃ．Ｉ．ベーシックブルー１，３，５，７，９，２４，２５，２６，２８及び２９、Ｃ．Ｉ．ベーシックグリーン１及び４等の塩基性染料；Ｃ．Ｉ．リアクティブイエロー２、Ｃ．Ｉ．リアクティブレッド４，２３，２４，３１及び５６、Ｃ．Ｉ．リアクティブブルー７，１３及び４９、Ｃ．Ｉ．リアクティブグリーン５，６，７，８，１２，１５，１９及び２１等の反応性染料が挙げられる。
【００４２】
また、顔料としては、例えば、Ｃ．Ｉ．ピグメントイエロー１，２，３，１３，１６，７４，８３，９３，１２８，１３４及び１４４、Ｃ．Ｉ．ピグメントレッド５，７，１２，２３，４８（Ｍｎ），５７（Ｃａ），１１２，１２２，１４４，１７０，１７７，２２１，２５４及び２６４、Ｃ．Ｉ．ピグメントバイオレット１９及び４８（Ｃａ）、Ｃ．Ｉ．ピグメントブルー １，２，３，１５，１５：１，１５：２，１５：３，１５：４，１５：５，１５：６，１６，１７：１，２２，２７，２８，２９，３６及び６０、Ｃ．Ｉ．ピグメントグリーン７等が挙げられる。
【００４３】
ブラックインクの着色剤としても、水溶性染料及び／又は顔料をあげることができ、これらを適宜組み合わせて用いてもよい。水溶性染料としては、例えば、Ｃ．Ｉ．ダイレクトブラック１７，１９，３２，５１，７１，１０８，１４６，１５４及び１６８等の直接染料；Ｃ．Ｉ．アシッドブラック２，７，２４，２６，３１，５２，６３，１１２及び１１８等の酸性染料；Ｃ．Ｉ．ベーシックブラック２等の塩基性染料；Ｃ．Ｉ．フードブラック１及び２等があげられる。また、顔料としては、例えば、ＭＡ８、ＭＡ１００（三菱化成(株)製）、カラーブラックＦＷ２００(デグサ製)等のカーボンブラックを使用することができる。カーボンブラックとしては、分散剤を用いなくても水に分散可能な自己分散型のものを用いてもよい。自己分散型カーボンブラックは、その表面に、カルボニル基、カルボキシル基、ヒドロキシル基又はスルホン基のような少なくとも一種の親水基又はその塩を結合させる処理をすることによって得ることができる。この表面処理の具体例としては、特開平８−３４９８号公報及び特表２０００−５１３３９６号公報に記載の方法を挙げることができる。また、自己分散黒色顔料としては、例えば、ＣＡＢ−Ｏ−ＪＥＴ（登録商標）２００及び３００(キャボット製)、ボンジェット（登録商標）ＣＷ１(オリエント化学工業(株)製)等の市販品を利用することも可能である。
【００４４】
各インクにおける水溶性染料の含有量は、所望のプリント濃度や色彩により異なるが、少なすぎると被記録材上での発色が不充分であり、多すぎるとインクジェットヘッドのノズルの目詰まりが起きやすくなるので、好ましくは各インク全量に対して０．１〜１５重量％、より好ましくは０．３〜１０重量％、特に好ましくは０．５〜５．０重量％の範囲である。
【００４５】
各インクにおける顔料の含有量は、所望のプリント濃度や色彩により異なるが、少なすぎると被記録材上での発色が不充分であり、多すぎるとインクジェットヘッドのノズルの目詰まりが起きやすくなるので、好ましくは各インクの全重量に対して１〜１５重量％、より好ましくは１〜１０重量％の範囲である。
【００４６】
一方、各インクに使用する水は、脱イオン水とすることが好ましい。水の含有量は、水溶性有機溶剤の種類、インク組成、所望のインク特性に応じて決定されるが、少なすぎるとインクの粘度が上昇するためにインクジェットヘッドのノズルからの吐出が困難となり、多すぎると水分蒸発によって着色剤の析出、凝集等が生じ、インクジェットヘッドのノズルの目詰まりが起きやすくなるので、好ましくは各インクの全重量に対して１０〜９５重量％、より好ましくは１０〜７０重量％、特に好ましくは２０〜７０重量％の範囲である。
【００４７】
各インクで使用する水溶性有機溶剤は、湿潤剤と浸透剤に大別される。
湿潤剤は、インクジェットヘッドのノズルの目詰まりを防止するためにインクに添加される。湿潤剤の具体例としては、グリセリン、エチレングリコール、ジエチレングリコール、トリエチレングリコール、ポリエチレングリコール、プロピレングリコール、ジプロピレングリコール、トリプロピレングリコール、ポリプロピレングリコール、１，５−ペンタンジオール、１，６−ヘキサンジオール等の水溶性グリコールが挙げられる。湿潤剤としての水溶性有機溶剤の含有量としては、少なすぎるとインクジェットヘッドのノズルの目詰まりを防止するために不充分であり、多すぎるとインクの粘度が上昇し、吐出が困難となるので、好ましくは各インクの全重量に対して５〜５０重量％、より好ましくは５〜４０重量％、特に好ましくは５〜３５重量％の範囲である。
【００４８】
浸透剤は、プリントした際、インクを速やかに紙内部に浸透させるためにインクに添加される。浸透剤の具体例としては、エチレングリコール系及びプロピレングリコール系のアルキルエーテルに代表されるグリコールエーテル等が挙げられる。エチレングリコール系アルキルエーテルの具体例としては、エチレングリコールメチルエーテル、エチレングリコール−ｎ−エチルエーテル、エチレングリコール−ｎ−プロピルエーテル、エチレングリコール−ｎ−ブチルエーテル、エチレングリコールイソブチルエーテル、ジエチレングリコールメチルエーテル、ジエチレングリコール−ｎ−エチルエーテル、ジエチレングリコール−ｎ−プロピルエーテル、ジエチレングリコール−ｎ−ブチルエーテル、ジエチレングリコールイソブチルエーテル、トリエチレングリコールメチルエーテル、トリエチレングリコール−ｎ−エチルエーテル、トリエチレングリコール−ｎ−プロピルエーテル、トリエチレングリコール−ｎ−ブチルエーテル、トリエチレングリコールイソブチルエーテル等が挙げられ、プロピレングリコール系アルキルエーテルの具体例としては、プロピレングリコールメチルエーテル、プロピレングリコール−ｎ−エチルエーテル、プロピレングリコール−ｎ−プロピルエーテル、プロピレングリコール−ｎ−ブチルエーテル、ジプロピレングリコールメチルエーテル、ジプロピレングリコール−ｎ−エチルエーテル、ジプロピレングリコール−ｎ−プロピルエーテル、ジプロピレングリコール−ｎ−ブチルエーテル、トリプロピレングリコールメチルエーテル、トリプロピレングリコール−ｎ−エチルエーテル、トリプロピレングリコール−ｎ−プロピルエーテル、トリプロピレングリコール−ｎ−ブチルエーテル等が挙げられる。
【００４９】
浸透剤としての水溶性有機溶剤の含有量としては、少なすぎると浸透性が不充分であり、多すぎると過剰な浸透性によってフェザリング等のにじみを生じやすくなるので、好ましくは各インクの全重量に対して０．１〜１０重量％、より好ましくは０．１〜５重量％の範囲である。
【００５０】
本発明のインクセットを構成する各インクには、上述の湿潤剤及び浸透剤の他、インクジェットヘッドの先端部におけるインクの乾燥を防止したり、プリント濃度を高くしたり、鮮やかな発色をさせたりする水溶性有機溶剤を含むことができる。このような水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール等の低級アルコール；ジメチルホルムアミド、ジメチルアセトアミド等のアミド；アセトン、ジアセトンアルコール等のケトン又はケトアルコール；テトラヒドロフラン、ジオキサン等のエーテル；グリセリン；２−ピロリドン、Ｎ−メチル−２−ピロリドン；１，３−ジメチル−２−イミダゾリジノン等が挙げられる。
【００５１】
本発明のインクセットを構成する各インクには、さらに、従来公知の界面活性剤；ポリビニルアルコール、セルロース、水溶性樹脂等の粘度調整剤；表面張力調整剤；防黴剤等を必要に応じて添加することができる。
【００５２】
本発明のインクジェット記録方法は、インクジェット記録を、本発明のインクセットを使用して行うものである。インクジェット記録の方式には特に制限はなく、静電吸引方式、圧電素子を用いる方式、サーマル方式などをあげることができる。
【実施例】
【００５３】
以下に、実施例及び比較例に基いて、本発明を具体的に説明する。なお、本実施例において、％は、特にことわらない限り、重量％を表す。
【００５４】
実施例１〜５、比較例１〜３
（１）インクの調製
表１に示したインク組成で、ライトシアンインク１を次のように調製した。
【００５５】
まず、水６９重量部、グリセリン２７重量部、ジプロピレングリコール−ｎ−プロピルエーテル２重量部を混合して、インク溶媒９８量部を調製した。次いで、シアン水溶性染料（Ｃ．Ｉ．ダイレクトブルー１９９）２重量部を攪拌中のインク溶媒９８重量部に加え、さらに３０分間撹拌し、孔径１μｍのメンブランフィルターにて濾過し、ライトシアンインク１を得た。
【００５６】
組成を表１に記載のように変更した以外は、ライトシアンインク１と同様の操作を繰り返すことにより、ライトシアンインク２，３、ノーマルシアンインク、グリーンインク１，２、及びイエローインクを調製した。
【００５７】
（２）Ｌ*、ａ*、ｂ*、Ｃ*、ｈの取得
各インクを所定のインクカートリッジに充填し、インクジェットプリンタ搭載デジタル複合機（ブラザー工業（株）製；ＭＦＣ−５２００Ｊ）に装着して、光沢紙（富士写真フィルム（株）製；画彩（登録商標）光沢仕上げ）に１２００×１２００ｄｐｉベタプリントをプリントし、そのベタプリントのＬ*、ａ*及びｂ*を、Ｇｒｅｔａｇ  Ｍａｃｂｅｔｈ社製Ｓｐｅｃｔｒｏｌｉｎｏ（光源：Ｄ６５；視野：２°）により測定した。
【００５８】
また、Ｃ*及びｈは、得られた測定値をもとに、次式（１）及び（２）を用いて求めた。これらの結果を表１に示す。
【００５９】
【数３】
2006176607.tif 000004
【００６０】
【数４】
2006176607.tif 000005
【００６１】
【表１】
2006176607.tif 000006
【００６２】
（３）インクセットの構成
表１に示したインクを、表２に示したように組み合わせてインクジェット記録用水性インクセットを構成した。なお、比較例１は従来のインクセットに相当する。
【００６３】
（４）インクセットの評価
表２に示した各インクセットについて、該インクセットを構成するインクを所定のインクカートリッジに充填し、インクジェットプリンタ搭載デジタル複合機（ブラザー工業（株）製；ＭＦＣ−５２００Ｊ）に装着し、光沢紙（富士写真フィルム（株）製；画彩（登録商標）光沢仕上げ）に、粒状感評価用としてライトシアンインク及びノーマルシアンインクの各グラデーションサンプルをプリントし、グリーン色及びシアン色の色再現評価用としてシアンインク（ライトシアンインク、ノーマルシアンインク）、グリーンインク、及びイエローインクの混合割合を変えて種々の色相のパッチを含むプリントパターンサンプルをプリントした。
【００６４】
得られた各サンプルのパッチについて、ａ*、ｂ*及びＬ*を前述と同様に測定し、(a)シアン色粒状感評価、(b)グリーン色再現評価、(c)シアン色再現評価、及び(d)総合評価を次のように行った。
【００６５】
(a)シアン色粒状感評価
上述のグラデーションサンプルにおいて、Ｌ*＝９０のパッチに対して、目視にてシアン色の粒状感を以下の評価基準に基づき評価した。この評価結果を表２に示す。
◎…粒状感が認められない
○…粒状感がほとんど目立たない
×…粒状感が目立ち、実用上問題あり
【００６６】
(b)グリーン色再現評価
(b-1)目視評価
上述のプリントパターンサンプルより、ｈ＝２００°±１０°に該当するグリーン色パッチを選択し、目視にて、グリーン色が充分に表現されているか否かを以下の評価基準に基づき評価した。この評価結果を表２に示す。
◎…高濃度グリーン色を充分に表現できている
○…高濃度グリーン色を表現できている
×…高濃度グリーン色の表現が不足している
【００６７】
(b-2)彩度（Ｃ*）及び彩度差（Ａ）
上述のプリントパターンサンプルから、グリーン色に対応するｈが２００°±１０°であって、Ｌ*が５５±３のパッチを選択し、各パッチについてＣ*を前述の式（１）により算出した。
【００６８】
また、比較基準として比較例１のパッチ（ｈ＝１９６°）のＣ*1を使用し、次式（３）により、上述の各パッチのＣ*2と比較例１のパッチのＣ*1との差を彩度差（Ａ）として求めた。ここで、彩度差（Ａ）が大きいほど、高濃度グリーン色再現性が優れていることを示す。この結果を表２に示す。
【００６９】
【数５】
2006176607.tif 000007
【００７０】
(c)シアン色再現評価
(c-1)目視評価
上述のプリントパターンサンプルから、シアン色に対応するｈ＝２３４°±５°のパッチを選択し、目視にて、シアン色が充分に表現されているか否かを以下の評価基準に基づき評価した。この評価結果を表２に示す。
◎…高濃度シアン色を充分に表現できている
○…高濃度シアン色に近い色が表現できている
×…高濃度シアン色表現が不足している
【００７１】
(c-2)彩度（Ｃ*）及び明度差（Ｂ）
上述のプリントパターンサンプルから、シアン色の範疇に属すると認められるｈが２１５°≦ｈ≦２５５°のパッチであって、従来のインクセットでプリントした場合のシアン
色を呈する比較例１のパッチ（ｈ＝２３４°、Ｌ*＝５４）と、Ｌ*及びｈが最も近いパッチを選択し、各パッチについてＣ*を前述の式（１）により算出した。
【００７２】
また、各パッチと比較例１のパッチとの明度差（Ｂ）を次式（４）により求めた。ここで、明度差（Ｂ）は、その値が大きいほど高濃度のシアン色が充分に表現できないことを示している。
【００７３】
【数６】
2006176607.tif 000008
【００７４】
(d)総合評価
(a)シアン色粒状感評価、(b)グリーン色再現評価及び(c)シアン色再現評価の結果から以下の評価基準により総合評価を行った。結果を表２に示す。
○…すべての評価結果が、◎又は○である
×…評価結果のいずれかに、×がある
【００７５】
【表２】
2006176607.tif 000009
【００７６】
表２に示したように、実施例１及び４では、Ｌ*≧６０のライトシアンインクを用いているためにシアン色の低濃度プリント部（Ｌ*＝９０）において粒状感がほとんど目立たなくなっていた。また、実施例１及び４では、Ｌ*≦６０のグリーンインクを用いているために、従来のインクセット（比較例１）と比較してグリーン色の再現範囲が広がり（Ａ値が大きい）、従来のインクセット（比較例１）で表現できるシアン色と遜色ない程度の高濃度のシアン色も表現できた。また、グリーン色をグリーンインク単色で表現することができるので、グリーン色の印字について重ね打ちによる着弾誤差が生ずることがなく、シャープな印字が得られた。
【００７７】
実施例２、３及び５は、実施例１及び４で用いたライトシアンインクよりさらにＬ*の高いライトシアンインクを用いているためにシアン色粒状感が認められなかった。また、この場合にもＬ*≦６０のグリーンインクを用いているため、高濃度グリーン色を充分に表現することができ、従来のインクセット（比較例１）において表現できるシアン色と遜色ない程度の高濃度のシアン色も表現できた。
【００７８】
比較例２及び３は、Ｌ*の高いライトシアンインクを用いているため従来のインクセット（比較例１）に比べるとシアン色粒状感は低減するものの、グリーンインクを用いていないため、明らかに高濃度グリーン色の表現ができず、また、高濃度シアン色の表現も不足しており、実用上問題があった。
【００７９】
実施例６及び比較例４
（１）インクの調製とインクセットの構成
表３に示したインク組成で、イエローインク、ライトマゼンタインク、レッドインク、ライトシアンインク１、ブルーインク及びグリーンインク１を実施例１と同様の操作で調製し、これらから実施例６のインクセットを構成した。
【００８０】
また、比較例４のインクセットとして、市販のインクジェットプリンタ搭載デジタル複合機ＭＦＣ−５２００Ｊ（ブラザー工業（株）製）用のイエローインク（ＬＣ６００Ｙ）、マゼンタインク（ＬＣ６００Ｍ）及びシアンインク（ＬＣ６００Ｃ）の３種のインクからなるインクセットを用意した。
【００８１】
【表３】
2006176607.tif 000010
【００８２】
（２）Ｌ*、Ｃ*、ｈの取得
各インクについて、実施例１と同様にしてＬ*、ａ*、ｂ*を測定し、Ｃ*、ｈを算出した。これらの結果を表３に示す。
【００８３】
（３）インクセットの評価
実施例１におけるインクセットの評価と同様にして、実施例６及び比較例４のインクセットを用いて、種々の色相のパッチを含む色再現評価用のプリントパターンサンプルをプリントした。
【００８４】
この場合、プリントに使用するインクジェットプリンタのインクカートリッジ搭載可能数は４であるため、実施例６のインクセットのプリントパターンサンプルのプリントに際しては、まず、６種のインクをインクカートリッジに充填し、それを便宜的に以下の２組に分け、２度に分けてプリントを行った。
第１組：レッドインク、イエローインク、グリーンインク１、ライトシアンインク１
第２組：ライトシアンインク１、ブルーインク、ライトマゼンタインク、レッドインク
【００８５】
なお、このインクの組み分けの方法は、６種のインクのうち、色相角が小さい順に４種のインクを選択して第１組とし、次に、第１組のうち最も大きな色相角を有するインクと、このインクよりも色相角が大きいインク２種と、第１組のインクのうちで最も色相角が小さいインクから第２組を構成したものである。
【００８６】
また、プリントに際しては、種々の色相を含むパッチパターンをプリント可能なプリンタドライバを作成して用いた。
【００８７】
得られたプリントパターンサンプルのａ*、ｂ*を上述と同様に測定し、Ｌ*＝４０、５０、６０、７０及び８０における色再現面積を求めた。
【００８８】
実施例６の色再現面積の、同一Ｌ*値における比較例４の色再現面積に対する割合を求め、得られた結果から以下の評価基準に基づき評価した。この結果を表４に示す。また、各Ｌ*値について、実施例６と比較例４の色再現範囲をグラフにしたものを図１〜図５に示す。
◎…１１０％を超える
○…１０５％を超え、１１０％以下
△…９０％を超え、１０５％以下
×…９０％以下
【００８９】
【表４】
2006176607.tif 000011
【００９０】
表４の結果から、実施例６のインクセットは比較例４のインクセットに比して、色再現面積が顕著に拡大していることがわかる。
【産業上の利用可能性】
【００９１】
本発明のインクジェット記録用水性インクセットは、低濃度プリント部における粒状感の低減と、色再現範囲の拡大を実現するので、インクジェット記録用プリンタでカラー画像を再現する場合に有用となる。
【図面の簡単な説明】
【００９２】
【図１】実施例６と比較例４のＬ*＝４０における色再現範囲のグラフである。
【図２】実施例６と比較例４のＬ*＝５０における色再現範囲のグラフである。
【図３】実施例６と比較例４のＬ*＝６０における色再現範囲のグラフである。
【図４】実施例６と比較例４のＬ*＝７０における色再現範囲のグラフである。
【図５】実施例６と比較例４のＬ*＝８０における色再現範囲のグラフである。
【図１】
2006176607.tif 000012
【図２】
2006176607.tif 000013
【図３】
2006176607.tif 000014
【図４】
2006176607.tif 000015
【図５】
2006176607.tif 000016